(57)【要約】      （修正有）【課題】郊外で写生やスケッチを行う時、画版や三脚その他の必要な道具を個々別々に運び組み立て使用する必要がなく、搬入や持ち運びが簡単な携帯用イーゼルケースを提供する。【解決手段】成型して成るケース本体１ａのＡ面に三脚を目的とする伸縮自在脚架足２を固定金具３と角度調節固定金具３ａにより装着してコンパクトにケースと一体化する。イーゼルとして使用する時はイーゼルケース本体Ｂ面を画版として利用する.【選択図】図１
2006087889.tif 000002
【特許請求の範囲】
【請求項１】
成型して成るケース側面、図１の１ａイーゼルケースＡ面に三脚を役目とする伸縮自在脚架足２を装着させケースの使用時に於いてケースの角度は角度調節固定金具３ａの操作で行いケースの高低の調節は三脚を役目とする伸縮自在脚架足２を伸縮させる事で調節し図２の１ｂイーゼルケースＢ面を画版として使い写生やスケッチ等に利用する、また画紙差し込み部６に楽譜を差し込めば音楽のレッスンにも使用出来る構成であり、ケース内には必要とする道具類が収納出来て郊外に於ける文化活動の手軽な用具として移動携帯に利便性のある特徴を備えたケース、即ち携帯用イーゼルケースである。
【請求項２】
前記の［請求項１］の特徴を備えた携帯用イーゼルケースを多目的に他の産業の用具として利用する為に図６の１ｄイーゼルケース本体内側Ｄ面にノート型パーソナル、コンピュータ１６又わ他の電子機器を内設して携帯用イーゼルケースと組み合わせ一体化する事により携帯性と移動による持ち運びの利便が計られ郊外、屋外の工事現場や自然の観測用具として使用出来るものとし、屋外に於ける雨水から機器を保護する為に図６の１ｃイーゼルケース本体内側Ｃ面の内回りに防水パッキング１７を巻き込むことによりケースを閉じると防水が出来る様に構成された携帯用イーゼルケースである。
【請求項３】
本発明の携帯用イーゼルケースは前記の［請求項１］と［請求項２］の特徴と構成構造を有するものであり、この携帯用イーゼルケースに使用される材質と形状の選択は自由である。
【発明の詳細な説明】
【技術分野】
【０００１】  本発明は、成型したケースの側面に伸縮自在の三脚架足を装着させコンパクトに一体化させて成り、ケースの各面を利用して多目的な使用が出来る事を目的としたケースに関するものである。
【背景技術】
【０００２】  従来、郊外に於ける写生やスケッチを行う時には画版や三脚その他の道具を個々別々に運び組み立て使用してきたが現場えの搬入や持ち運びが面倒であり大変に不便であった。前記の不便を解決する為には本発明のイーゼルケースをただ一つ携帯する事で多目的な作業が容易に出来るよう構成したものであり、現在でもケースの側面に三脚を装着させ携帯に便利よくコンパクトに一体化して多目的に使用の出来るケースは市場に出ていない。
【発明の開示】
【発明が解決しようとする課題】
【０００３】  成型されて成るケースの側面に三脚架足を組み合わせ装着しコンパクトに一体化する事で、上記「背景技術」の「０００２」に記載した問題の不便を解決する事にある。
【課題を解決するための手段】
【０００４】  本発明の携帯用イーゼルケースは成型して成るケースの側面に伸縮自在の脚架足を装着させ、コンパクトに一体化する事により携帯性をもたせ、またケースの各面を利用して多目的な作業が容易に出来る様にした。例えば写生、スケッチ等の時にはケース本体Ｂ面を画版として使い、また同じＢ面に楽譜を差し込めば楽器のレッスン用にも使用出来る、次にケース本体内側のＤ面にノート型パーソナル、コンピュターを内設すれば郊外や屋外の工事現場など設備の不備な所でも容易にパソコンを操作出来るケースとして開発し構成した事により課題を解決した。
【発明の効果】
【０００５】  上述、「背景技術」の「０００２」に記載の如く、郊外に於ける写生やスケッチ、その他の作業を行う時に、本発明の携帯用イーゼルケースをただ一つ持ち運ぶ事で容易に、目的の現場で作業が出来、しかも多目的の文化活動が手軽に行われる利便性は本発明の主眼であり携帯用イーゼルケースが文化活動の道具として使用出来る利便性は現高齢化における文化活動の向上に貢献する価値のある効果を有するものである。
【発明を実施するための最良の形態】
【実施例１】
【０００６】  本発明の形態を添付図面によって説明する、成型して成るケース図１の１ａイーゼルケース本体Ａ面に三脚を目的とする伸縮自在脚架足２を固定金具３と角度調節固定金具３ａにより装着してコンパクトに一体化する事により携帯性を持たせ、イーゼルとして使用する時は図２の１ｂイーゼルケース本体Ｂ面を画版として利用する、従ってＢ面には画紙差し込み部６と凸型カンバス受け金具７を設ける、この７に図５のＬ型金具８を差し込む事で棚兼用のカンバス受け台９が出来て郊外に於ける写生やスケッチ、絵画等の作業が容易に出来る。またＢ面に楽譜を差し込めば楽器のレッスンにも使用出来、多目的に利用出来る様に構成した。次に本発明の携帯用イーゼルケースの使用時の角度は角度調節固定金具３ａの蝶ネジ１０を操作する事で図４に示す接点１２と接点１３の交わる範囲、即ち角度調節の範囲１４まで設定出来、高さの調節は伸縮自在脚架足２を操作する事で簡単に設定する事を可能にした。また本体イーゼルケース内にはカンバスや画材等の必要な道具類が収納出来るため携帯性に優れた構成を有する携帯用イーゼルケースとして発明した。
【実施例２】
【０００７】  本発明の携帯用イーゼルケース図１は前記［実施例１］に記載した使用例とは別にして多目的に利用出来る様に構成した。例えば図６に示した如く１ｄイーゼルケース本体内側Ｄ面にノート型パーソナル、コンピュータ１６を内設させて常時携帯が出来る様にイーゼルケースと一体化た形態とする事により設備の不備な屋外の工事現場や野外の電子機器の操作の道具として容易に使え利便性の優れたものとした。また屋外の使用時に於ける雨水の防水を考慮してイーゼルケース本体内側Ｃ面１ｃの内回りに防水パッキング１７を巻き込む事でケースを閉じれば防水が出来る構造にした。
【実施例３】
【０００８】  本発明のイーゼルケースは前記の［実施例１］と［実施例２］に説明し記載した構成構造を持つものであり、上記の目的の使用が出来ればよいのであり、この携帯用イーゼルケースに使用される材質と形状の選択は自由である。
【産業上の利用可能性】
【０００９】  本発明の携帯用イーゼルケースは［実施例１］と［実施例２］に説明し記載した構成構造を持たせて作られたものであり、郊外に於ける絵画活動の道具として、また屋外に於ける機器の操作架台として使用出来る事は広く文化進行と文化向上を計る事の出来る道具としての役割は大きく産業上の利用価値は多大である。
【図面の簡単な説明】
【００１０】
【図１】携帯用イーゼルケース本体のＡ面より見た斜視図である。
【図２】携帯用イーゼルケース本体のＢ面より見た使用時の斜視立面図である。
【図３】角度調節固定金具３ａの正面図である。
【図４】角度調節金見３ａの説明用、一部切欠斜視図である。
【図５】棚兼用カンバス受け台９の斜視図である。
【図６】携帯用イーゼルケース本体内側Ｄ面にノート型パーソナル、コンピュータを内設した使用時の斜視立面図である。
【符号の説明】
【００１１】１ａ  携帯用イーゼルケース本体Ａ面
１ｂ  携帯用イーゼルケース本体Ｂ面
１ｃ  携帯用イーゼルケース本体内側Ｃ面
１ｄ  携帯用イーゼルケース本体内側Ｄ面
２    伸縮自在脚架足
３    固定金具
３ａ  角度調節固定金具
４    ケース取っ手
５    ケース蓋止め
６    画紙差し込み部
７    凸型カンバス受け金具
８    Ｌ型金具
９    棚兼用カンバス受け台
１０  蝶ネジ
１１  ナット
１２  接点
１３  接点
１４  角度調節の範囲
１５  ストップ付ステー金具
１６  ノート型パーソナル、コンピュータ
１７  防水パッキング
【図１】
2006087889.tif 000003
【図２】
2006087889.tif 000004
【図３】
2006087889.tif 000005
【図４】
2006087889.tif 000006
【図５】
2006087889.tif 000007
【図６】
2006087889.tif 000008